(57)【要約】【課題】  タイムシフト再生を行う場合の操作を簡易にし、ユーザの利便性を向上させることが課題になっていた。【解決手段】  実施形態の電子機器は、番組受信中に電源ＯＦＦ指示を受信した場合に、前記受信中の番組を録画するかを指定可能な表示画面を出力する第１の表示画面出力部を備える。  また、前記録画すると指定された場合に、前記録画される番組を、電源ＯＮ指示に連動して再生出力するかを指定可能な表示画面を出力する第２の表示画面出力部を備える。  また、前記電源ＯＮ指示に連動した前記録画番組の再生が指定された場合は、この指定された情報を前記録画番組と関連付けて記憶し、前記番組を録画する録画部を備える。【選択図】  図３
2013143662.tif 000002
【特許請求の範囲】
【請求項１】
番組受信中に電源ＯＦＦ指示を受信した場合に、前記受信中の番組を録画するかを指定可能な表示画面を出力する第１の表示画面出力部と、
前記録画すると指定された場合に、前記録画される番組を、電源ＯＮ指示に連動して再生出力するかを指定可能な表示画面を出力する第２の表示画面出力部と、
前記電源ＯＮ指示に連動した前記録画番組の再生が指定された場合は、この指定された情報を前記録画番組と関連付けて記憶し、前記番組を録画する録画部を備える電子機器。
【請求項２】
電源がＯＦＦ状態の時に、電源ＯＮ指示を受信した場合は、この電源ＯＮ指示に応じて前記録画された番組を再生出力する再生出力部を備える請求項１に記載の電子機器。
【請求項３】
前記電源ＯＮ指示が受信された場合に、前記電源ＯＮ指示に応じた前記番組の再生出力が予め設定されている場合は、前記録画された番組を再生出力する請求項２に記載の電子機器。
【請求項４】
前記録画された番組を再生出力中であることを示す表示を出力する請求項３に記載の電子機器。
【請求項５】
前記電源ＯＮ指示が受信された場合に、前記電源ＯＮ指示に応じた前記番組の再生出力が設定されていない場合は、最後に受信した放送局で放送されている放送番組を出力する請求項２に記載の電子機器。
【請求項６】
前記放送局で放送されている放送番組を出力中であることを示す表示を出力する請求項５に記載の電子機器。
【請求項７】
前記電源ＯＮ指示に連動した前記録画番組の再生が指定された場合は、映像を表示出力する映像表示出力部の電源をＯＦＦにする請求項１に記載の電子機器。
【請求項８】
前記録画が終了したかを検出し、録画が終了した場合は、前記録画部の電源をＯＦＦにする請求項７に記載の電子機器。
【請求項９】
番組受信中に電源ＯＦＦ指示を受信した場合に、前記受信中の番組を録画するかを指定可能な表示画面を出力するステップと、
前記録画すると指定された場合に、前記録画される番組を、電源ＯＮ指示に連動して再生出力するかを指定可能な表示画面を出力するステップと、
前記電源ＯＮ指示に連動した前記録画番組の再生が指定された場合は、この指定された情報を前記録画番組と関連付けて記憶し、前記番組を録画するステップを備える電子機器の制御方法。
【請求項１０】
番組受信中に電源ＯＦＦ指示を受信した場合に、前記受信中の番組を録画するかを指定可能な表示画面を出力するステップと、
前記録画すると指定された場合に、前記録画される番組を、電源ＯＮ指示に連動して再生出力するかを指定可能な表示画面を出力するステップと、
前記電源ＯＮ指示に連動した前記録画番組の再生が指定された場合は、この指定された情報を前記録画番組と関連付けて記憶し、前記番組を録画するステップを電子機器に実行させる電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、放送を受信して録画することが可能な録画装置が普及している。
【０００３】
そして、録画番組を、タイムシフトで再生（タイムシフト再生）することが可能になっている。
【０００４】
しかし、タイムシフト再生等の操作は、一般に、煩雑であり、ユーザにとり、不便であることが問題になっていた。
【０００５】
このため、タイムシフト再生等の操作を簡易にし、ユーザの利便性を向上させることが課題になっていた。
【先行技術文献】
【特許文献】
【０００６】
【特許文献１】特開２０１１−９１７１３号公報
【発明の概要】
【発明が解決しようとする課題】
【０００７】
タイムシフト再生等の操作を簡易にし、ユーザの利便性を向上させることが課題になっていた。
【課題を解決するための手段】
【０００８】
実施形態の電子機器は、番組受信中に電源ＯＦＦ指示を受信した場合に、前記受信中の番組を録画するかを指定可能な表示画面を出力する第１の表示画面出力部を備える。
【０００９】
また、前記録画すると指定された場合に、前記録画される番組を、電源ＯＮ指示に連動して再生出力するかを指定可能な表示画面を出力する第２の表示画面出力部を備える。
【００１０】
また、前記電源ＯＮ指示に連動した前記録画番組の再生が指定された場合は、この指定された情報を前記録画番組と関連付けて記憶し、前記番組を録画する録画部を備える。
【図面の簡単な説明】
【００１１】
【図１】実施形態に係わる電子機器の外観を示す外観図。
【図２】実施形態に係わる電子機器の構成を示すブロック図。
【図３】実施形態に係わる電子機器から出力される初期設定画面の一例を示す図。
【図４】実施形態に係わる電子機器における電源ＯＦＦ指示受信時の動作を説明する図。
【図５】実施形態に係わる電子機器における電源ＯＦＦ指示受信時の動作を説明するフローチャート。
【図６】実施形態に係わる電子機器における電源ＯＮ指示受信時の動作を説明する図。
【図７】実施形態に係わる電子機器における電源ＯＮ指示受信時の動作を説明するフローチャート。
【図８】他の実施形態に係わる電子機器における電源ＯＦＦ指示受信時の動作を説明する図。
【図９】他の実施形態に係わる電子機器における電源ＯＦＦ指示受信時の動作を説明するフローチャート。
【図１０】他の実施形態に係わる電子機器の外観を示す外観図。
【発明を実施するための形態】
【００１２】
以下、図面を参照し、実施の形態を説明する。
【００１３】
図１は、実施形態に係わる電子機器の外観を示す外観図である。
【００１４】
ここでは、電子機器１の一例として、映像表示装置（テレビ）を用いて説明を行うが、後述するように、電子機器１はテレビに限定されることはなく、録画装置やパーソナルコンピュータ（ＰＣ）、スマートフォン等にも適用可能である。
【００１５】
電子機器（映像表示装置）１は、例えば、ユーザによってリモコン（リモートコントローラ）２１が操作される。このリモコン２１から出力されたリモコン信号が電子機器（映像表示装置）１の操作受信部２０で受信される。
【００１６】
リモコン信号を受信した電子機器（映像表示装置）１は、このリモコン信号の指示によって動作し、例えば、ＬＣＤ（Ｌｉｑｕｉｄ  Ｃｒｙｓｔａｌ  Ｄｉｓｐｌａｙ、液晶ディスプレイ）等で構成される表示画面（映像表示部）８に、所定の映像を表示出力する。
【００１７】
また、この電子機器（映像表示装置）１は、例えば、ＵＳＢ端子等で外付けされる外部記憶機器（ＨＤＤ等）１９を備えている。そして、映像表示装置１で受信された放送を、例えば、映像表示装置１内部の内部記憶装置１７やこの外部記憶機器１９に録画することが可能である。
【００１８】
図２は、実施形態に係わる電子機器の構成を示すブロック図である。
【００１９】
この実施形態においては、制御部１１はＣＰＵ１２を備えている。そして、ＣＰＵ１２は電子機器（映像表示装置）１を制御する。
【００２０】
また、ＲＡＭ１３、ＲＯＭ１４、フラッシュメモリ１５は、例えば、制御部１１で行われる処理に利用される。
【００２１】
例えば、放送局２５からデジタル放送で映像コンテンツが放送される。放送局２５から放送されたデジタル放送はチューナ３で受信され、選局処理が行われ、デジタル信号の映像コンテンツが信号処理部４に送信される。
【００２２】
信号処理部４で受信されたデジタル信号の映像コンテンツは信号処理が施され、音声処理部６および映像処理部５に送信される。
【００２３】
音声処理部６は、信号処理が施された映像コンテンツを受信し、音声処理を施した信号をスピーカ９に送信する。
【００２４】
スピーカ９は、音声処理が施された信号を受信し、音声を出力する。
【００２５】
また、映像処理部５は、信号処理が施された映像コンテンツを受信し、映像処理を施した信号を表示装置７に送信する。
【００２６】
表示装置７は、映像処理が施された信号を受信し、ＬＣＤパネル等で構成される表示画面（映像表示部）８に映像を表示する。
【００２７】
また、この実施形態においては、電子機器（映像表示装置）１は内部記憶装置１７を備えている。この内部記憶装置１７は、上記外部記録機器１９と同様に、例えば、電子機器（映像表示装置）１で受信された映像コンテンツを録画することが可能である。
【００２８】
また、この実施形態においては、電子機器（映像表示装置）１は、上記のようにＵＳＢ接続やＬＡＮ接続される外部記憶機器１９を備えている。上記受信された映像コンテンツはこの外部記憶機器１９に記録することも可能である。
【００２９】
また、この実施形態においては、電子機器（映像表示装置）１は、送受信部（ネットワークインターフェース）２２、ネットワーク（インターネット）２６を介してサーバ２７に接続されており、例えば、インターネットで配信された映像コンテンツを受信し、上記と同様に、内部記憶装置１７や外部記憶機器１９に記録することも可能である。
【００３０】
これらの処理は、上記のように、制御部１１に制御される。
【００３１】
また、上記のように、電子機器（映像表示装置）１に対するユーザの操作は、例えばリモコン（リモートコントローラ）２１等の操作機器によって指示される。
【００３２】
図３は、実施形態に係わる電子機器から出力される初期設定画面の一例を示す図である。
【００３３】
近年、ＨＤＤ等の録画容量が大きい記録媒体を備えた録画装置が普及し、番組を録画しながらタイムシフト、すなわち、時間をずらして録画番組を再生することが可能になっている。
【００３４】
そして、この実施形態において、電子機器１は、図３に示すように、表示画面８に初期設定画面を表示し、予め、ユーザに「タイムシフト自動再生」を行うか否かを、設定入力させることが可能である。
【００３５】
この実施形態において「タイムシフト自動再生」とは、例えば、上記録画された番組を、リモコン２１等から送信された電源ＯＮ指示に連動して、再生出力する動作である。
【００３６】
ここでは、例えば、表示画面８に、初期設定画面「タイムシフト自動再生機能を使用しますか？」が表示され、予め、リモコン２１等を操作するユーザから「タイムシフト自動再生」を行うか否かが設定入力される。
【００３７】
ここでは、例えば、初期設定画面の「タイムシフト自動再生機能を使用しますか？」の問いに対し、ユーザから「Ｙｅｓ」３１が指定され、設定入力が行なわれる。
【００３８】
ここで設定入力された「タイムシフト自動再生」を行うか否かの情報は、例えば、フラッシュメモリ１５に記憶される。
【００３９】
ここで、この実施形態における「自動再生」について説明する。
【００４０】
図４は、実施形態に係わる電子機器における電源ＯＦＦ指示受信時の動作を説明する図である。
【００４１】
この実施形態においては、電子機器１は、例えば、放送番組（番組）を受信し、映像表示部８に表示中に、例えば、リモコン２１等から送信された電源ＯＦＦ指示を受信した場合に、上記受信中の番組を録画するか否をユーザが指定可能な表示画面を出力する。
【００４２】
そして、上記録画すると指定された場合に、上記録画される番組を、同様に、リモコン２１等から送信された電源ＯＮ指示に連動して、再生出力するか否かを指定可能な表示画面を出力する。
【００４３】
そして、上記電源ＯＮ指示に連動した上記録画番組の再生が、例えばユーザ操作により指定された場合は、この指定された情報を上記録画番組と関連付けて記憶し、上記放送番組（番組）を録画する。
【００４４】
また、この後、電子機器の電源がＯＦＦ状態の時に、電源ＯＮ指示を受信した場合は、この電源ＯＮ指示に応じて、上記録画された番組を再生出力する。
【００４５】
図４（ａ）は、電子機器１が、電源ＯＦＦ指示を受信しているようすを示す図である。
【００４６】
ここでは、電子機器１は、所定の放送番組（番組）を受信し、映像表示部８に表示中に、例えば、上記のようにユーザに操作されたリモコン２１等から送信された電源ＯＦＦ指示を、受信部２０を介して受信する。
【００４７】
図４（ｂ）は、電子機器１が、受信中の番組を録画するか否をユーザが指定可能な表示画面を出力するようすを示す図である。
【００４８】
ここでは、電子機器１は、上記リモコン２１等から送信された電源ＯＦＦ指示を受信した場合に、上記受信中の番組を録画するか否を、ユーザが指定可能な表示画面を出力する。
【００４９】
図４（ｃ）は、電子機器１が、電源ＯＮ指示に連動して、再生出力するか否かを指定可能な表示画面を出力するようすを示す図である。
【００５０】
ここでは、上記録画すると指定された場合に、上記録画される番組を、リモコン２１等から送信された電源ＯＮ指示に連動して、再生出力するか否かを指定可能な表示画面を出力する。
【００５１】
図４（ｄ）は、電子機器１が、上記放送番組（番組）を録画するようすを示す図である。
【００５２】
ここでは、上記電源ＯＮ指示に連動した上記録画番組の再生が、例えばユーザ操作により指定された場合は、この指定された情報を上記録画番組と関連付けて記憶し、上記放送番組（番組）を録画する。
【００５３】
すなわち、上記自動再生が指定された場合、表示部８の電源をＯＦＦし、この番組を録画部で録画する。
【００５４】
図４（ｅ）は、上記録画が終了したら、録画部の電源をＯＦＦにするようすを示す図である。
【００５５】
なお、上記図４の説明では、電子機器１が、受信中の番組を録画するか否をユーザが指定するのは電源をＯＦＦ時であるとしたが、ＯＦＦ時に受信中の全番組を録画するか否かについて予め設定（図示しない別メニューで設定）しても良く、その場合には図４（ｂ）の表示はしない。あるいはＯＦＦ時に受信中の特定のジャンルの番組もしくはユーザがキーワード設定した番組に一致する番組を録画するか否かについて予め設定しても良く、その場合、特定のジャンルのＯＦＦ時には図４（ｂ）の表示はしない。
【００５６】
また、上記図４の説明では、電子機器１が、電源ＯＮ指示に連動して、再生出力するか否かを指定するのは電源をＯＦＦ時であるとしたが、ＯＦＦ時に録画した全番組を電源ＯＮ指示に連動して、再生出力するか否かについて予め設定（図示しない別メニューで設定）しても良く、その場合には図４（ｃ）の表示はしない。あるいはＯＦＦ時に録画した特定のジャンルの番組もしくはユーザがキーワード設定した番組に一致する番組を電源ＯＮ指示に連動して、再生出力するか否かについて予め設定しても良く、その場合、特定のジャンルのＯＦＦ時には図４（ｂ）の表示はしない。
【００５７】
さらには図４（ｂ）（ｃ）の代わりに、電源ＯＦＦボタンとして、通常の電源ＯＦＦボタンと図４（ｂ）（ｃ）の録画および再生を同時に指示する電源ＯＦＦボタンがあっても良い。なお物理的に2種類のボタンはなくても、図４（ｂ）（ｃ）の録画および再生を同時に指示する電源ＯＦＦボタンに相当する設定メニューを用意しても良い。
【００５８】
図５は、実施形態に係わる電子機器における電源ＯＦＦ指示受信時の動作を説明するフローチャートである。
【００５９】
ステップＳ１００は、ここでの開始ステップである。続いて、ステップＳ１０１に進む。
【００６０】
ステップＳ１０１は、電子機器１が、上記のように放送を受信し、例えば、映像表示部８から出力するステップである。続いて、ステップＳ１０２に進む。
【００６１】
ステップＳ１０２は、上記電源ＯＦＦ指示を受信したかを検出するステップである。上記電源ＯＦＦ指示を受信したと検出される場合は、ステップＳ１０３に進む（Ｙｅｓ）。上記電源ＯＦＦ指示を受信しないと検出される場合は、ここでの処理を繰り返す（Ｎｏ）。
【００６２】
ステップＳ１０３は、例えば、図４（ｂ）に示すように、録画の要否を指定可能な表示画面を出力するステップである。続いて、ステップＳ１０４に進む。
【００６３】
ステップＳ１０４は、上記録画の「要（Ｙｅｓ）４１」が指定されたかが検出されるステップである。上記録画の「要（Ｙｅｓ）４１」が指定されたと検出される場合は、ステップＳ１０５に進む（Ｙｅｓ）。上記録画の「要（Ｙｅｓ）４１」が指定されないと検出される場合は、ステップＳ１１１に進む（Ｎｏ）。
【００６４】
ステップＳ１０５は、例えば、図４（ｃ）に示すように、電子機器１が電源ＯＮ指示受信時の上記自動再生の要否を指定可能な表示画面を出力するステップである。続いて、ステップＳ１０６に進む。
【００６５】
ステップＳ１０６は、電子機器１が電源ＯＮ指示受信時に、自動再生「要（Ｙｅｓ）４１」が指定されたかが検出されるステップである。電子機器１が電源ＯＮ指示受信時に、自動再生「要（Ｙｅｓ）４１」が指定されたと検出される場合は、ステップＳ１０７に進む（Ｙｅｓ）。電子機器１が電源ＯＮ指示受信時に、自動再生「要（Ｙｅｓ）４１」が指定されたと検出されない場合は、ステップＳ１１１に進む（Ｎｏ）。
【００６６】
ステップＳ１０７は、電子機器１が、フラッシュメモリ１５に、電源ＯＮ指示受信時に、自動再生「要（Ｙｅｓ）４１」である旨の情報を記憶するステップである。続いて、ステップＳ１０８に進む。
【００６７】
ステップＳ１０８は、例えば、映像表示部８の電源をＯＦＦにし、このとき出力されている番組を録画部（外部記録機器１９、内部記録機器１７等）に録画するステップである。続いて、ステップＳ１０９に進む。
【００６８】
ステップＳ１０９は、上記録画が終了したかを検出するステップである。上記録画が終了したと検出される場合は、ステップＳ１１０に進む（Ｙｅｓ）。上記録画が終了したかを検出するステップである。上記録画が終了しないと検出される場合は、ここでの処理を繰り返す（Ｎｏ）。
【００６９】
ステップＳ１１０は、例えば、録画部（外部記録機器１９、内部記録機器１７等）の電源をＯＦＦにするステップである。続いて、ステップＳ１１１に進む。
【００７０】
ステップＳ１１１は、終了ステップであり、ここでの処理は終了する。
【００７１】
図６は、実施形態に係わる電子機器における電源ＯＮ指示受信時の動作を説明する図である。
【００７２】
図６（ａ）は、例えば、電源ＯＦＦ状態の電子機器１が、電源ＯＮ指示を受信するようすを示す図である。
【００７３】
ここでは、電源ＯＦＦ状態の電子機器１は、上記のようにユーザに操作されたリモコン２１等から送信された電源ＯＮ指示を、受信部２０を介して受信する。
【００７４】
図６（ｂ）は、上記タイムシフト自動再生がＯＮ（設定あり）の場合の電子機器１の動作を示す図である。
【００７５】
ここでは、上記電源ＯＮ指示が受信された場合に、上記電源ＯＮ指示に応じた上記番組の再生出力が予め設定されている場合は、上記録画された番組を再生出力する。
【００７６】
このとき、例えば、図６（ｂ）に示すように、映像表示部８に、番組説明６１を表示出力し、上記録画された番組を再生出力中であることを示している。
【００７７】
ここでは、この録画番組の番組説明は、例えば、「放送日」、「放送局名」、「あらすじ」等である。
【００７８】
この番組説明６１の表示は、例えば、ＴＳ録画であれば可能である。
【００７９】
この実施形態では、電子機器１の電源ＯＮ動作に応じて、上記タイムシフト自動再生が行われた場合に、例えば、この番組説明６１の表示を行うことによって、ユーザは、これが録画された番組であることに気付くことができる。
【００８０】
また、ここで表示される「放送日」、「放送局名」、「あらすじ」等もユーザの気付きを促す一助になる。
【００８１】
図６（ｃ）は、上記タイムシフト自動再生がＯＦＦ（設定なし）の場合の電子機器１の動作を示す図である。
【００８２】
ここでは、上記電源ＯＮ指示が受信された場合に、上記電源ＯＮ指示に応じた前記番組の再生出力が設定されていない場合は、例えば、「最後に受信した放送局で放送されている放送番組」を出力する。
【００８３】
また、ここでは、上記放送局で放送されている放送番組を出力中であることを示す表示（例えば、放送局６２）を出力する。
【００８４】
この例では、「ＴＶ○○」  「時刻  １１：００」等が表示される。
【００８５】
この実施形態では、電子機器１の電源ＯＮ動作に応じて、上記タイムシフト自動再生が行われない場合に、例えば、この放送局６２の表示を行うことによって、ユーザは、これが現在放送されている番組であることに気付くことができる。
【００８６】
また、ここで表示される「放送局名」、「時刻」等もユーザの気付きを促す一助になる。
【００８７】
図７は、実施形態に係わる電子機器における電源ＯＮ指示受信時の動作を説明するフローチャートである。
【００８８】
ステップＳ２００は、ここでの開始ステップである。続いて、ステップＳ２０１に進む。
【００８９】
ステップＳ２０１は、電子機器１が、上記電源ＯＮ指示を受信したかを検出するステップである。電子機器１が、上記電源ＯＮ指示を受信したと検出される場合は、ステップＳ２０２に進む（Ｙｅｓ）。電子機器１が、上記電源ＯＮ指示を受信しないと検出される場合は、ここでの処理を繰り返す（Ｎｏ）。
【００９０】
ステップＳ２０２は、上記タイムシフト自動再生がＯＮ、すなわち、設定がされているかを検出するステップである。上記タイムシフト自動再生が設定されていると検出される場合は、ステップＳ２０３に進む（Ｙｅｓ）。上記タイムシフト自動再生が設定されていないと検出される場合は、ステップＳ２０４に進む（Ｎｏ）。
【００９１】
ステップＳ２０３は、例えば、図６（ｂ）に示すように、録画部（外部記録機器１９、内部記録機器１７等）に上記録画した番組を、上記電源ＯＦＦ指示に連動して、自動再生するステップである。続いて、ステップＳ２０５に進む。
【００９２】
ステップＳ２０４は、例えば、図６（ｃ）に示すように、最後に受信した放送局の放送を出力するステップである。続いて、ステップＳ２０５に進む。
【００９３】
ステップＳ２０５は、終了ステップであり、ここでの処理は終了する。
【００９４】
図８は、他の実施形態に係わる電子機器における電源ＯＦＦ指示受信時の動作を説明する図である。
【００９５】
この実施形態においては、例えば、計画的な停電（計画停電）が予定されている場合において、上記録画を行なう際に、例えば、この録画を行なう番組の終了時刻から上記予定されている計画停電までの時間（例えば、２時間等）に、録画予約を行なうことが可能な番組の番組表（ＥＰＧ）をユーザに提示し、計画停電までの時間（例えば、２時間等）の録画予約を可能にする。
【００９６】
そして、この実施形態においては、上記のように、録画を行なう際に、この番組の終了時刻から上記計画停電までの時間（例えば、２時間等）に、録画予約が可能な場合は、表示画面（映像表示部）８に、図８（ａ）に示すようなユーザ入力画面表示を出力する。
【００９７】
この番組の終了時刻は、例えば、デジタル放送等で送信されるＥＰＧ（電子番組ガイド）情報等を用いることが可能である。
【００９８】
ＥＰＧ（電子番組ガイド、Ｅｌｅｃｔｒｏｎｉｃ  Ｐｒｏｇｒａｍ  Ｇｕｉｄｅ）は、例えば、放送番組表をテレビの画面等に表示するシステムである。電子番組表とも呼ばれる。
【００９９】
ＥＰＧは、例えば、選局時における番組タイトルの表示情報、各局の電子番組表の閲覧表示情報、各番組詳細内容の表示情報、ジャンル、タイトル、出演者等での番組検索を行なうための情報等を備えている。
【０１００】
そして、この実施形態では、表示画面（映像表示部）８に、例えば、「計画停電時刻までの追加録画予約をしますか？」と表示される。
【０１０１】
ユーザは、例えば、このユーザ入力画面表示を見ながらリモコン２１等を操作し、「Ｙｅｓ（要）」または、「Ｎｏ（否）」を指定する。
【０１０２】
ここでは、例えば、「Ｙｅｓ（要）」８１が指定される。
【０１０３】
そして、上記のように、ユーザによって「Ｙｅｓ（要）」８１が指定されると、例えば、図８（ｂ）に示すようなＥＰＧ（番組表）１００の画面表示が出力される。
【０１０４】
このＥＰＧ（番組表）１００の画面表示は、上記のように、録画を行なう番組の終了時刻から計画停電までの時間に、録画予約が可能な番組の番組表（ＥＰＧ）をユーザに提示し、計画停電までの録画予約を可能にする。
【０１０５】
上記のように、この実施形態においては、電子機器１は、番組受信中に電源ＯＦＦ指示を受信した場合に、上記受信中の番組を録画するかを指定可能な表示画面を出力する。
【０１０６】
また、上記録画すると指定された場合に、上記録画される番組を、電源ＯＮ指示に連動して再生出力するかを指定可能な表示画面を出力する。
【０１０７】
また、上記電源ＯＮ指示に連動した上記録画番組の再生が指定された場合は、この指定された情報を上記録画番組と関連付けて記憶し、上記番組を録画する。
【０１０８】
また、電源がＯＦＦ状態の時に、電源ＯＮ指示を受信した場合は、この電源ＯＮ指示に応じて上記録画された番組を再生出力する。
【０１０９】
また、上記電源ＯＮ指示が受信された場合に、上記電源ＯＮ指示に応じた上記番組の再生出力が予め設定されている場合は、上記録画された番組を再生出力する。
【０１１０】
また、上記録画された番組を再生出力中であることを示す表示を出力する。
【０１１１】
また、上記電源ＯＮ指示が受信された場合に、上記電源ＯＮ指示に応じた上記番組の再生出力が設定されていない場合は、最後に受信した放送局で放送されている放送番組を出力する。
【０１１２】
また、上記放送局で放送されている放送番組を出力中であることを示す表示を出力する。
【０１１３】
また、上記電源ＯＮ指示に連動した上記録画番組の再生が指定された場合は、映像を表示出力する映像表示出力部の電源をＯＦＦにする。
【０１１４】
また、上記録画が終了したかを検出し、録画が終了した場合は、上記録画部の電源をＯＦＦにする。
【０１１５】
図９は、他の実施形態に係わる電子機器における電源ＯＦＦ指示受信時の動作を説明するフローチャートである。
【０１１６】
ステップＳ３００は、ここでの開始ステップである。続いて、ステップＳ３０１に進む。
【０１１７】
ステップＳ３０１は、例えば、上記電子機器１を用いて、ユーザが所定の番組を視聴している状態（電子機器１の電源ＯＮ）において、例えば、リモコン２１を用い、ユーザが電子機器１の電源をＯＦＦにする指示をし、電子機器１は、電源ＯＦＦ指示を受信するステップである。続いて、ステップＳ３０２に進む。
【０１１８】
ステップＳ３０２は、例えば、上記のように、ユーザが視聴中の番組の終了時刻情報（ＥＰＧ情報等）から上記録画終了までの長さ（時間）の値を求めるステップである。続いて、ステップＳ３０３に進む。
【０１１９】
ステップＳ３０３は、例えば、放送やインターネット等から停電（計画停電等）開始時刻の情報を取得し、停電開始時刻までの時間の値（例えば、２時間等）を求めるステップである。続いて、ステップＳ３０４に進む。
【０１２０】
ステップＳ３０４は、上記のように、番組の録画終了時刻から停電開始時刻までに放送される番組の追加録画予約の要否を指定可能な画面（図８（ａ））を表示するステップである。続いて、ステップＳ３０５に進む。
【０１２１】
ステップＳ３０５は、例えば、追加録画予約が「Ｙｅｓ（要）」が指定された場合は、図８（ｂ）に示すように、追加録画予約可能な番組の番組表を表示出力するステップである。続いて、ステップＳ３０６に進む。
【０１２２】
ステップＳ３０６は、例えば、上記追加録画予約可能な番組の番組表から指定された番組を、追加録画するステップである。続いて、ステップＳ３０７に進む。
【０１２３】
ステップＳ３０７は、終了ステップであり、ここでの処理は終了する。
【０１２４】
図１０は、他の実施形態に係わる電子機器の外観を示す外観図である。
【０１２５】
この実施形態においては、図１０に示すように、電子機器３０は、ＢＤレコーダのような録画機器である。
【０１２６】
そして、電子機器３０は、表示画面８を備える映像表示装置１ａと、例えば、ＨＤＭＩケーブルで接続される。
【０１２７】
ＨＤＭＩは、Ｈｉｇｈ−Ｄｅｆｉｎｉｔｉｏｎ  Ｍｕｌｔｉｍｅｄｉａ  Ｉｎｔｅｒｆａｃｅ（高精細度マルチメディアインターフェース）の略である。
【０１２８】
ＨＤＭＩは、映像・音声をデジタル信号で伝送する通信インタフェースの標準規格である。
【０１２９】
そして、この実施形態においては、例えば、上記と同様に、ユーザに操作されたリモコン２１ａから出力されたリモコン信号（電源ＯＮ指示や電源ＯＦＦ指示等のユーザの指示）を映像表示装置１ａが受信し、電子機器３０に送信する。
【０１３０】
電子機器３０は、この映像表示装置１ａから送信された電源ＯＮ指示や電源ＯＦＦ指示等のユーザの指示を受信し、上記電子機器１と同様に動作する。
【０１３１】
すなわち、電子機器３０は、例えば、番組受信中に電源ＯＦＦ指示を受信した場合に、上記受信中の番組を録画するかを指定可能な表示画面を映像表示装置１ａに出力する。
【０１３２】
また、上記録画すると指定された場合に、上記録画される番組を、上記電源ＯＮ指示に連動して再生出力するかを指定可能な表示画面を映像表示装置１ａに出力する。
【０１３３】
また、上記電源ＯＮ指示に連動した上記録画番組の再生が指定された場合は、この指定された情報を上記録画番組と関連付けて記憶し、上記番組を録画する。
【０１３４】
上記のように構成することによって、この実施形態においては、タイムシフト再生等の操作を簡易にし、ユーザの利便性を向上させることが可能になる。
【０１３５】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１３６】
また、上記実施形態は、記述そのものに限定されるものではなく、実施段階では、その趣旨を逸脱しない範囲で、構成要素を種々変形して具体化することが可能である。
【０１３７】
また、上記実施形態に開示されている複数の構成要素の適宜な組み合せにより種々の発明を形成できる。
【０１３８】
例えば、実施形態に示される全構成要素から幾つかの構成要素を削除してもよい。更に、異なる実施形態に亘る構成要素を適宜組み合せてもよい。
【符号の説明】
【０１３９】
１…電子機器（映像表示装置）、８…表示画面、２１…リモートコントローラ（リモコン）。
【図１】
2013143662.tif 000003
【図２】
2013143662.tif 000004
【図３】
2013143662.tif 000005
【図４】
2013143662.tif 000006
【図５】
2013143662.tif 000007
【図６】
2013143662.tif 000008
【図７】
2013143662.tif 000009
【図８】
2013143662.tif 000010
【図９】
2013143662.tif 000011
【図１０】
2013143662.tif 000012